(57)【要約】      （修正有）【課題】大規模地震等により複数のビルにおいて、かご内に乗客が閉じ込められた時、乗客に対し他のビルの状況も含めた閉じ込め発生状況や救出状況をリアルタイムに提供するエレベータの表示装置を得る。【解決手段】閉じ込め発生時に救出順位ビルリストを表示するかご内表示器３と、エレベータ制御盤４に接続された通信制御手段６と、通信制御手段と通信網８を介して接続され、複数のビルに設置されたエレベータを集中遠隔監視する遠隔監視センタ７と、保守員１１の位置情報を送信する携帯端末９と、複数のビルに設置されたエレベータで閉じ込めが発生した時、閉じ込め情報、保守員の位置情報及び複数のビルの各種情報から、閉じ込め発生中のビルにおける救出順位を判定するとともに救出順位ビルリストを作成し、作成した救出順位ビルリストを通信網を介してかご内表示器に送信する遠隔監視システムとを備える。【選択図】図１
2008068933.tif 000002
【特許請求の範囲】
【請求項１】
エレベータのかご内に設けられた非常呼びボタンと、
エレベータのかご内に設けられ、閉じ込め発生時に救出順位ビルリストを表示するかご内表示器と、
前記非常呼びボタン及びかご内表示器とエレベータ制御盤を介して接続された通信制御手段と、
前記通信制御手段と電話回線等の通信網を介して接続され、複数のビルに設置されたエレベータを集中して遠隔監視する遠隔監視センタと、
保守員が携帯して保守員の位置情報を送信する携帯端末と、
前記遠隔監視センタに設けられ、複数のビルに設置されたエレベータで閉じ込めが発生した時、閉じ込め情報、保守員の位置情報及び管理している複数のビルの各種情報から、閉じ込め発生中のビルにおける救出順位を判定するとともに救出順位ビルリストを作成し、作成した救出順位ビルリストを通信網を介して前記かご内表示器に送信する遠隔監視システムと、
を備えたことを特徴とするエレベータの表示装置。
【請求項２】
かご内表示器に表示される救出順位ビルリストは、救出対象となるビルが救出予定順に表示され、救出対象ビルの救出状態がそれぞれ表示されており、それがリアルタイムに更新されて表示されることを特徴とする請求項１記載のエレベータの表示装置。
【請求項３】
救出順位ビルリストの救出状態の表示は、救出中、移動中、順番待ちがあり、救出が完了すると、第１順位のビルが救出順位リストから消えて、第２順位のビルが第１順位に繰り上がり、その救出状態が移動中となり、保守員が当該ビルに到着すると、救出状態が救出中となることを特徴とする請求項２記載のエレベータの表示装置。
【請求項４】
遠隔監視システムは、管理しているビルの各種情報を保存しているデータベースと、遠隔監視されていないビルの閉じ込め情報を入力できる入力端末と、閉じ込め情報やビルの各種情報や保守員の位置情報や保守員の到着情報等から閉じ込め発生中ビルリストを作成する閉じ込め発生中ビルリスト作成手段と、保守員の位置情報から保守員の位置情報管理テーブルを作成する保守員位置情報管理手段と、前記閉じ込め発生中ビルリスト及び保守員の位置情報管理テーブルから救出順位ビルリストを作成する救出順位ビルリスト作成手段とを備えていることを特徴とする請求項１記載のエレベータの表示装置。
【請求項５】
閉じ込め発生中ビルリスト作成手段は、通信網もしくは入力端末から新たな閉じ込め情報を受信すると、閉じ込め発生中ビルリストに新たに受信した救出対象ビルを追加して更新することを特徴とする請求項４記載のエレベータの表示装置。
【請求項６】
保守員位置情報管理手段は、保守員の現在位置情報と救出対象ビルの位置情報を比較し、両者の位置情報が重なれば、保守員のビル到着情報を送信することを特徴とする請求項４又は請求項５記載のエレベータの表示装置。
【請求項７】
救出順位ビルリスト作成手段は、救出対象ビルの追加情報、救出完了情報、保守員のビル到着情報があった時、救出順位ビルリストを更新することを特徴とする請求項６記載のエレベータの表示装置。
【請求項８】
遠隔監視システムは、作成した救出順位ビルリストを通信網を介して保守員が携帯する携帯端末にも送信して表示することを特徴とする請求項１〜請求項７のいずれかに記載のエレベータの表示装置。
【発明の詳細な説明】
【技術分野】
【０００１】
この発明は、大規模地震等により複数のビルにおいて、エレベータのかご内に乗客が閉じ込められた時、エレベータのかご内の乗客に対し他のビルの状況も含めた閉じ込め発生状況や、閉じ込め救出状況をリアルタイムに提供するエレベータの表示装置に関するものである。
【背景技術】
【０００２】
従来、乗客がかご内に閉じ込められるエレベータの故障発生時に、当該建物に向かう保守員が携帯するＧＰＳ情報により保守員の動静をかご内に閉じ込められた乗客に視覚的に知らせることにより、乗客の不安感や集燥感を和らげるエレベータの非常時案内システムが知られている（例えば、特許文献１参照）。
【０００３】
また、閉じ込め発生時にかご内の乗客に対し、保守員が携帯する送受信装置により、ＧＰＳの位置情報とＶＩＣＳ渋滞情報をもとに、保守員の現在位置、及び当該現場への到着予想時間又は時刻をかご内モニタ装置するエレベータ用遠隔監視システムが知られている（例えば、特許文献２参照）。
【０００４】
また、地震で一部エレベータが同時に運転停止状態となったとき、保守員の持つ携帯端末に最適な復旧スケジュールを表示させるエレベータの復旧支援システムが知られている（例えば、特許文献３参照）。
【０００５】
【特許文献１】特開２００２−２８４４５７号公報
【特許文献２】特開２００５−２７２１０１号公報
【特許文献３】特開平１０−７３３７号公報
【発明の開示】
【発明が解決しようとする課題】
【０００６】
上記のような従来技術のものでは、大規模地震等の発生で複数のエレベータが同時に運転停止状態となり、多数のビルにおいて乗客がかご内に閉じ込められている場合、保守員が順番にエレベータを復旧させている間、かご内で閉じ込められている乗客には、自分が閉じ込められているエレベータのビルに保守員が何番目に到着してくれるのかが不明であり、また救出の進行状況も全く判らないという問題がある。
【０００７】
この発明は、上述の問題を解決するためになされたもので、大規模地震等により複数のビルにおいて、エレベータのかご内に乗客が閉じ込められた時、エレベータのかご内の乗客に対し他のビルの状況も含めた閉じ込め発生状況や、閉じ込め救出状況をリアルタイムに提供するようにしたエレベータの表示装置を提供するものである。
【課題を解決するための手段】
【０００８】
この発明に係わるエレベータの表示装置は、エレベータのかご内に設けられた非常呼びボタンと、エレベータのかご内に設けられ、閉じ込め発生時に救出順位ビルリストを表示するかご内表示器と、非常呼びボタン及びかご内表示器とエレベータ制御盤を介して接続された通信制御手段と、通信制御手段と電話回線等の通信網を介して接続され、複数のビルに設置されたエレベータを集中して遠隔監視する遠隔監視センタと、保守員が携帯して保守員の位置情報を送信する携帯端末と、遠隔監視センタに設けられ、複数のビルに設置されたエレベータで閉じ込めが発生した時、閉じ込め情報、保守員の位置情報及び管理している複数のビルの各種情報から、閉じ込め発生中のビルにおける救出順位を判定するとともに救出順位ビルリストを作成し、作成した救出順位ビルリストを通信網を介してかご内表示器に送信する遠隔監視システムとを備えたものである。
【０００９】
また、かご内表示器に表示される救出順位ビルリストは、救出対象となるビルが救出予定順に表示され、救出対象ビルの救出状態がそれぞれ表示されており、それがリアルタイムに更新されて表示されるものである。
【００１０】
また、救出順位ビルリストの救出状態の表示は、救出中、移動中、順番待ちがあり、救出が完了すると、第１順位のビルが救出順位リストから消えて、第２順位のビルが第１順位に繰り上がり、その救出状態が移動中となり、保守員が当該ビルに到着すると、救出状態が救出中となるものである。
【００１１】
また、遠隔監視システムは、管理しているビルの各種情報を保存しているデータベースと、遠隔監視されていないビルの閉じ込め情報を入力できる入力端末と、閉じ込め情報やビルの各種情報や保守員の位置情報や保守員の到着情報等から閉じ込め発生中ビルリストを作成する閉じ込め発生中ビルリスト作成手段と、保守員の位置情報から保守員の位置情報管理テーブルを作成する保守員位置情報管理手段と、閉じ込め発生中ビルリスト及び保守員の位置情報管理テーブルから救出順位ビルリストを作成する救出順位ビルリスト作成手段とを備えるものである。
【００１２】
また、閉じ込め発生中ビルリスト作成手段は、通信網もしくは入力端末から新たな閉じ込め情報を受信すると、閉じ込め発生中ビルリストに新たに受信した救出対象ビルを追加して更新するである。
【００１３】
また、保守員位置情報管理手段は、保守員の現在位置情報と救出対象ビルの位置情報を比較し、両者の位置情報が重なれば、保守員のビル到着情報を送信するものである。
【００１４】
また、救出順位ビルリスト作成手段は、救出対象ビルの追加情報、救出完了情報、保守員のビル到着情報があった時、救出順位ビルリストを更新するものである。
【発明の効果】
【００１５】
この発明によれば、エレベータのかご内の閉じ込め発生時に救出順位ビルリストを表示するかご内表示器を設け、複数のビルに設置されたエレベータで閉じ込めが発生した時、閉じ込め情報、保守員の位置情報及び管理している複数のビルの各種情報から、閉じ込め発生中のビルにおける救出順位を判定するとともに救出順位ビルリストを作成し、作成した救出順位ビルリストを通信網を介してかご内表示器に送信する遠隔監視システムを設けたので、閉じ込め中のエレベータのかご内表示器には、遠隔監視センタから送られてきた救出予定順を示す救出順位ビルリストとその救出状況が表示されるので、乗客にも良く理解することができ、希望を持って救出を待つことができる。
【発明を実施するための最良の形態】
【００１６】
この発明をより詳細に説明するため、添付の図面に従ってこれを説明する。なお、各図中、同一又は相当する部分には同一の符号を付しており、その重複説明は適宜に簡略化ないし省略する。
【００１７】
実施の形態１.
図１はこの発明の実施の形態１におけるエレベータの表示装置の全体構成を示すシステム構成図、図２はこの発明の実施の形態１におけるエレベータの表示装置のかご内表示器の表示画面例を示す正面図、図３はこの発明の実施の形態１におけるエレベータの表示装置の遠隔監視センタ側に設置される遠隔監視システムを示すブロック図、図４は閉じ込め発生中ビルリスト作成手段の動作フローを説明するためのフローチャート、図５は保守員の位置情報管理手段の動作フローを説明するためのフローチャート、図６は救出順位ビルリスト作成手段の動作フローを説明するためのフローチャート、図７はかご内表示器の動作フローを説明するためのフローチャートである。
【００１８】
図１において、１はエレベータのかご、２はかご１内に設けられた非常呼びボタン、３はかご１内に設けられたかご内表示器で、通常表示の他に、閉じ込め発生時に救出順位ビルリストを表示する。４はエレベータ制御盤、５は地震感知器、６はエレベータ制御盤１に接続された通信制御装置、７は通信制御装置６と電話回線やインターネット等の通信網８を介して接続された遠隔監視センタで、複数のビルに設置されたエレベータを集中して遠隔管理している。９は携帯端末基地局１０及び通信網８を介して通信制御装置６及び遠隔監視センタ７に接続可能にされたＧＰＳ機能付き携帯端末で、保守員１１が携帯している。１２は遠隔監視されていないビル等に設けられ、当該ビルでエレベータの閉じ込め情報を送信できる電話、パソコン等からなる端末である。
【００１９】
図２は、かご内表示器３の表示画面例をそれぞれ示す。例えば、画面の左欄には救出対象となる実際のビルの名前（この例では、第１ビル、第２ビル、第３ビル等）が上から下に向かってその救出予定順にリアルタイムに表示される。また画面の中央欄には救出担当保守員の名前が表示される。また画面の右欄には左欄の該当ビルの救出状態がリアルタイムに表示される。ここで、図２（ａ）は、救出順位第１位の「第１ビル」の状態が「救出中」で、救出順位第２位の「第２ビル」、救出順位第３位の「第３ビル」を含むビルの状態が「順番待ち」であることを表示している。また、図２（ｂ）は、救出順位第１位の「第１ビル」の救出作業が完了し、救出順位第２位であった「第２ビル」が救出順位第１位に繰り上がり、救出担当保守員が第２ビルに向かって「移動中」の状態であり、救出順位第３位であった「第３ビル」が救出順位第２位に繰り上がり、状態が「順番待ち」であることを示している。また、図２（ｃ）は、第２ビルに救出担当保守員が到着し、「第２ビル」の状態が「救出中」に変わったこと、「第３ビル」の状態が「順番待ち」であることを表示している。
【００２０】
図３は、遠隔監視センタ７に設置される遠隔監視システムを示すブロック図である。遠隔監視システム１３は、管理しているビルの各種情報を保存しているデータベース１４と、遠隔監視されていないビルの閉じ込め情報を入力できる入力端末１５と、閉じ込め発生中ビルリスト作成手段１６と、救出順位ビルリスト作成手段１７と、保守員位置情報管理手段１８とを備えている。閉じ込め発生中ビルリスト作成手段１６は、電話回線やインターネット等の通信網８を介してビルの閉じ込め情報が入力され、また入力端末１５からは遠隔監視されていないビルの閉じ込め情報が入力され、データベース１４からは管理しているビルの各種情報が入力され、保守員位置情報管理手段１８からは保守員の持つＧＰＳ機能付き携帯端末９からの位置情報やビル到着情報が入力され、これらの情報を元に閉じ込め発生中ビルリスト１６ａを作成し、救出順位ビルリスト作成手段１７に送る。保守員位置情報管理手段１８は、電話回線やインターネット等の通信網８を介して保守員の位置情報が入力され、データベース１４からは管理しているビルの各種情報が入力され、これらの情報を元に保守員の位置情報管理テーブル１８ａを作成し、救出順位ビルリスト作成手段１７に送る。保守員位置情報管理手段１８は、保守員のビル到着情報を閉じ込め発生中ビルリスト作成手段１６に送っているが、システム側で自動的にビルへの保守員の到着を判定しても良い。救出順位ビルリスト作成手段１７は、閉じ込め発生中ビルリスト１６ａと保守員の位置情報管理テーブル１８ａから救出順位ビルリスト１７ａを作成し、電話回線やインターネット等の通信網８を介して閉じ込めが発生したエレベータのかご内表示器３に送信する。かご内表示器３には、図２に示すような画面が表示される。
【００２１】
次に、図４により閉じ込め発生中ビルリスト作成手段１６の動作フローを説明する。
先ず、ステップＳ１にて通信網８もしくは入力端末１５から新たな閉じ込め情報を受信すると、閉じ込め発生中ビルリスト１６ａに新たに受信した救出対象ビルを追加する（ステップＳ２）。次に、ステップＳ１で新たな閉じ込め情報を受信しない時は、ステップＳ３に進み、保守員からの救出状態情報があるか否かを確認し、保守員からの救出情報があればステップＳ４に進み、閉じ込め発生中リスト１６ａの該当ビルの救出状態を更新する。
【００２２】
次に、図５により保守員位置情報管理手段１８の動作フローを説明する。
先ず、ステップＳ１１にて保守員の位置情報を受信し、ステップＳ１２にて保守員の位置情報管理テーブル１８ａを更新する。次に、ステップＳ１３にて保守員の現在位置情報と救出するビルの位置情報とを比較し、両者の位置情報が重なれば、ステップＳ１４に進み、閉じ込め発生中ビルリスト作成手段１６へ保守員のビル到着情報を送信する。
【００２３】
次に、図６により救出順位ビルリスト作成手段１７の動作フローを説明する。
先ず、ステップＳ２１〜Ｓ２３にて閉じ込め発生中ビルリストの更新、救出対象ビルの追加、保守員の割り当てを行う。次に、ステップＳ２４にて閉じ込め発生中のビルにおける救出順位を判定し、救出順位ビルリスト１７ａを作成する。なお、作成される救出順位ビルリスト１７ａは、閉じ込め発生中ビルリストの更新（ステップＳ２１）や救出対象ビルの追加（ステップＳ２２）があった時、その都度更新される。次に、救出状態の更新の有無を判断し（ステップＳ２５）、救出状態が更新されていれば、救出状態が到着か否かを判断し（ステップＳ２６）、救出状態が到着であれば、該当ビルの救出状態を救出中とし、救出順位ビルリスト１７ａを救出状態が完了ではないビルと保守員へ送信する（ステップＳ２７）。ステップＳ２６で救出状態が到着でなければ、救出状態は完了となる（ステップＳ２８）。次に、ステップＳ２９で救出状態が完了ではない救出対象ビルがあるか否かを判断し、救出対象ビルがある場合は、該当ビルの救出状態を完了とし、次に救出するビルの救出状態を移動中とし、救出順位ビルリスト１７ａを救出状態が完了ではないビルと保守員へ送信する（ステップＳ３０）。ステップＳ２９で救出状態が完了ではない救出対象ビルが無い場合は、該当ビルの救出状態を完了とし、救出順位ビルリスト１７ａを該当ビルと保守員へ送信する（ステップＳ３１）。また、ステップＳ２５で救出状態の更新が無ければ、ステップＳ３２に進み、救出状態が移動中か否かを判断する。救出状態が移動中であれば、救出状態が完了でないビルへ救出順位ビルリスト１７ａを送信する（ステップＳ３３）。救出状態が移動中でなければ、次に救出するビルの救出状態を移動中とし、救出順位ビルリスト１７ａを救出状態が完了ではないビルと保守員へ送信する（ステップＳ３４）。
【００２４】
次に、図７によりかご内表示器３の動作フローを説明する。
先ず、ステップＳ４１にて閉じ込め状態が発生すると、遠隔監視センタ７の遠隔監視システム１３により通信網８を介して救出順位ビルリスト１７ａを受信する（ステップＳ４２）。次に、ステップＳ４３で救出対象ビルの追加があるか否かを判断し、もし追加があれば追加されたビルを追加で画面表示する（ステップＳ４４）。次に、救出状態変更の有無を判断し（ステップＳ４５）、救出状態が変更されていれば、救出状態が完了か否かを判断し（ステップＳ４６）、完了であれば、表示画面から該当ビルの表示を削除する（ステップＳ４７）。ステップＳ４６で救出状態が完了でなければ、救出状態が到着か否かを判断する（ステップＳ４８）。次に、ステップＳ４８で救出状態が到着であれば、表示画面の該当ビルの状態表示を救出中とする（ステップＳ４９）。また、ステップＳ４８で救出状態が到着でない場合は、表示画面の該当ビルの状態表示を順番待ちとする（ステップＳ５０）。なお、ステップＳ４１で閉じ込め状態が発生していなければ、かご内表示器３は通常表示となり（ステップＳ５１）、また、ステップＳ５２で閉じ込め状態が復旧すれば、かご内表示器３は通常表示となる（ステップＳ５１）。
【００２５】
この発明の実施の形態１によれば、遠隔監視センタ７は保守員からの救出対象ビルへの到着情報や救出完了情報を受信した段階で、そのビル情報をリアルタイムに閉じ込め発生中のエレベータのかご内表示器３へ送信することができる。また、新たな閉じ込め通報により閉じ込め発生中ビルリストの内容が変わっていれば、救出順位ビルリストも適宜更新され、担当保守員の携帯端末及び閉じ込め発生中のエレベータのかご内表示器へ更新された救出順位ビルリストと救出状況を送信して表示することができる。
【００２６】
実施の形態２.
上記実施の形態１では、かご内表示器３の表示画面例に救出対象となるビルの名前が上から下に向かってその救出順に表示するようにしたが、ビルの名前として実際のビル名をそのまま出して表示すると、救出対象となる該当ビルが閉じ込められた乗客にも良く理解できるので便利となる。しかしながら、その反面では、閉じ込められた乗客にとって、自分のビルよりも他の救出対象ビルの優先順位が上である理由が全く判らずに、不満や失望感に繋がる恐れがあると考えられる。
そこで、この実施の形態２においては、かご内表示器３には、実際のビル名を伏せておき、救出順位の順に第１順位ビル、第２順位ビル、第３順位ビルだけ表示し、自分が閉じ込められている該当ビルが判るように、その個所のみ点灯させたり、点滅させたり、色表示等で区別できるようにしても良い。あるいは当該ビルのみ実際のビル名を表示して、他の救出対象ビルの名前は伏せて表示したりしても良い。この時、救出順位付けの理由（弱者の占める割合、保守員との距離等）をアナウンス等で伝えるようにしてもよい。
【図面の簡単な説明】
【００２７】
【図１】この発明の実施の形態１におけるエレベータの表示装置の全体構成を示すシステム構成図である。
【図２】この発明の実施の形態１におけるエレベータの表示装置のかご内表示器の表示画面例を示す正面図である。
【図３】この発明の実施の形態１におけるエレベータの表示装置の遠隔監視センタ側に設置される遠隔監視システムを示すブロック図である。
【図４】閉じ込め発生中ビルリスト作成手段の動作フローを説明するためのフローチャートである。
【図５】保守員の位置情報管理手段の動作フローを説明するためのフローチャートである。
【図６】救出順位ビルリスト作成手段の動作フローを説明するためのフローチャートである。
【図７】かご内表示器の動作フローを説明するためのフローチャートである。
【符号の説明】
【００２８】
１  エレベータのかご
２  非常呼びボタン
３  かご内表示器
４  エレベータ制御盤
５  地震感知器
６  通信制御装置
７  遠隔監視センタ
８  通信網
９  携帯端末
１０  携帯端末基地局
１１  保守員
１２  端末
１３  遠隔監視システム
１４  データベース
１５  入力端末
１６  閉じ込め発生中ビルリスト作成手段
１７  救出順位ビルリスト作成手段
１８  保守員位置情報管理手段
【図１】
2008068933.tif 000003
【図２】
2008068933.tif 000004
【図３】
2008068933.tif 000005
【図４】
2008068933.tif 000006
【図５】
2008068933.tif 000007
【図６】
2008068933.tif 000008
【図７】
2008068933.tif 000009